(57)【要約】【課題】ディスプレイ装置に表示される文字や絵などの色相を使用者の簡単な入力を介して容易に変更することがディスプレイ装置に表示される文字の色相変更装置及び方法を提供する。【解決手段】文字を視覚的に表示するディスプレイ装置と、前記ディスプレイ装置に既表示された文字の位置を認識し、色相変更のために入力された位置を認識し、既表示された文字の位置と前記色相変更のために入力された位置との関係に応じて、予め設定された色相に前記既表示された文字の色相を変更するよう前記ディスプレイ装置を制御するディスプレイ制御部と、前記色相変更のための入力を、使用者から提供を受ける入力部と、を含むディスプレイ装置に表示された文字の色相変更装置。【選択図】図１
2016514274.tif 000002
【特許請求の範囲】
【請求項１】
文字を視覚的に表示するディスプレイ装置と、
前記ディスプレイ装置に既表示された文字の位置を認識し、色相変更のために入力された位置を認識し、既表示された文字の位置と前記色相変更のために入力された位置の関係に応じて、予め設定された色相に前記既表示された文字の色相を変更するよう前記ディスプレイ装置を制御するディスプレイ制御部と、
前記色相変更のための入力を、使用者から提供を受ける入力部と、
を含むディスプレイ装置に表示された文字の色相変更装置。
【請求項２】
前記ディスプレイ制御部は、
前記色相変更のための入力に応じて変更しようとする色相を設定する色相設定部と、
前記色相変更のために入力された位置を認識し、色相が変更される色相変更領域を決定する領域判断部と、
前記領域判断部で決定された前記色相変更領域に含まれた前記既表示された文字の色相を変更するよう前記ディスプレイ装置を制御する色相変更部と、
を含むことを特徴とする請求項１に記載のディスプレイ装置に表示された文字の色相変更装置。
【請求項３】
前記領域判断部は、
前記色相変更のための入力により予め設定された色相変更パターンの提供を受け、前記予め設定された色相変更パターンの位置に応じて前記色相変更領域を決定することを特徴とする請求項２に記載のディスプレイ装置に表示された文字の色相変更装置。
【請求項４】
前記領域判断部は、
前記色相変更パターンの下部に存在する単一文字、単語、文字列、文章または段落を認識し、認識された単一文字、単語、文字列、文章または段落が含まれた領域を、前記色相変更領域として決定することを特徴とする請求項３に記載のディスプレイ装置に表示された文字の色相変更装置。
【請求項５】
前記領域判断部は、
前記色相変更パターンを少なくとも２つ以上提供を受け、前記２つ以上の色相変更パターン間に存在する単一文字、単語、文字列、文章または段落を認識し、認識された単一文字、単語、文字列、文章または段落が含まれた領域を、前記色相変更領域として決定することを特徴とする請求項３に記載のディスプレイ装置に表示された文字の色相変更装置。
【請求項６】
前記領域判断部は、
前記色相変更のための入力により色相変更線の提供を受け、前記色相変更線と前記既表示された文字の領域の重畳可否に応じて、前記色相変更領域を設定することを特徴とする請求項２に記載のディスプレイ装置に表示された文字の色相変更装置。
【請求項７】
前記領域判断部は、
前記色相変更線と重畳される少なくとも一部が重畳される領域を有する文字を認識し、前記認識された文字を、前記色相変更領域として設定することを特徴とする請求項６に記載のディスプレイ装置に表示された文字の色相変更装置。
【請求項８】
前記領域判断部は、
前記色相変更線と重畳される領域を有する単一曲線を認識し、前記認識された単一曲線を前記色相変更領域として設定することを特徴とする請求項６に記載のディスプレイ装置に表示された文字の色相変更装置。
【請求項９】
ディスプレイ装置上で変更しようとする文字の色相の入力を受けて設定するステップと、
文字の色相変更のための使用者入力の提供を受けるステップと、
前記色相変更のために入力された位置を認識し、前記色相変更のために入力された位置に応じて、前記ディスプレイ上に既表示された文字の色相を変更する色相変更領域を決定するステップと、
前記色相変更領域内の文字の色相を前記設定するステップで設定された色相に変更するステップと、
を含むディスプレイ装置に表示された文字の色相変更方法。
【請求項１０】
前記色相変更領域を決定するステップは、
前記色相変更のための入力が、予め設定された色相変更パターンまたは色相変更線であるかを判断するステップと、
前記色相変更のための入力が、前記予め設定された色相変更パターンのとき、前記予め設定された色相変更パターンの位置に応じて、色相変更領域を決定するステップと、
を含むことを特徴とする請求項９に記載のディスプレイ装置に表示された文字の色相変更方法。
【請求項１１】
前記色相変更領域を決定するステップは、
前記色相変更パターンに隣接した単一文字、単語、文字列、文章または段落を認識し、認識された単一文字、単語、文字列、文章または段落が含まれた領域を、前記色相変更領域として決定するステップを含むことを特徴とする請求項１０に記載のディスプレイ装置に表示された文字の色相変更方法。
【請求項１２】
前記色相変更領域を決定するステップは、
前記色相変更パターンを少なくとも２つ以上提供を受け、前記２つ以上の色相変更パターン間に存在する単一文字、単語、文字列、文章または段落を認識し、認識された単一文字、単語、文字列、文章または段落が含まれた領域を、前記色相変更領域として決定するステップを含むことを特徴とする請求項１０に記載のディスプレイ装置に表示された文字の色相変更方法。
【請求項１３】
前記色相変更領域を決定するステップは、
前記色相変更のための入力が、予め設定された色相変更パターンまたは色相変更線であるかを判断するステップと、
前記色相変更のための入力が前記色相変更線のとき、前記色相変更線と前記既表示された文字の領域の重畳可否に応じて、前記色相変更領域を設定するステップと、
を含むことを特徴とする請求項９に記載のディスプレイ装置に表示された文字の色相変更方法。
【請求項１４】
前記色相変更領域を設定するステップは、
前記色相変更線と重畳される少なくとも一部が重畳される領域を有する文字を認識し、前記認識された文字を前記色相変更領域として設定するステップを含むことを特徴とする請求項１３に記載のディスプレイ装置に表示された文字の色相変更方法。
【請求項１５】
前記色相変更領域を設定するステップは、
前記色相変更線と重畳される領域を有する単一曲線を認識し、前記認識された単一曲線を前記色相変更領域として設定するステップを含むことを特徴とする請求項１３に記載のディスプレイ装置に表示された文字の色相変更方法。
【発明の詳細な説明】
【技術分野】
【０００１】
本発明は、ディスプレイ装置に表示される文字の色相を変更する装置及び方法に関する。さらに詳しくは、ディスプレイ装置に表示される文字や絵などの色相を使用者の簡単な入力を介して容易に変更することができるディスプレイ装置に表示される文字の色相変更装置及び方法に関するものである。
【従来技術】
【０００２】
近頃、電子黒板、タブレット型パソコンまたはスマートフォンのように、キーボードや文字入力のための転用パッドを用いるか、タッチスクリーン技術を用いて、ディスプレイされる画面上に行われた使用者のタッチ領域に沿って直接文字や絵を入力することができる装置が普及している。
【０００３】
このような装置に適用されたディスプレイ装置に表示される文字や絵などの色相を変更するためには、文字や絵を入力または作成する前に、予め設定メニューや設定窓を介して所望の色相を設定した後、文字や絵を入力または作成する方法が利用されている。従って、文字や絵を入力または作成し、ディスプレイ装置上に表示された後、表示された文字や絵の色相を変更しようとする場合には、表示された文字や絵を全て削除し、再び設定メニューや設定窓を介して色相を設定した後、また文字や絵を入力または作成しなければならない不便があった。特に、このような従来の方式では、使用者が表示される文字や絵の色相をよく変更しようとする場合に、毎度設定メニューや設定窓を介して色相を設定するステップを繰り返さなければならないので、色相変更が非常に煩雑で、文字や絵の入力または作成時間が必要以上にたくさん必要とされる問題があった。
【発明の概要】
【発明が解決しようとする課題】
【０００４】
本発明は、使用者がディスプレイ装置上に文字や絵を表示した後、使用者の単純な入力を介して所望の領域の文字または絵の色相を容易に変更するできるディスプレイ装置に表示された文字の色相変更装置及び方法を提供することを解決しようとする技術的課題とする。
【課題を解決するための手段】
【０００５】
前記技術的課題を解決するための手段として、本発明は、
文字を視覚的に表示するディスプレイ装置と、
前記ディスプレイ装置に既表示された文字の位置を認識し、色相変更のために入力された位置を認識し、既表示された文字の位置と前記色相変更のために入力された位置の関係に応じて、予め設定された色相に前記既表示された文字の色相を変更するよう前記ディスプレイ装置を制御するディスプレイ制御部と、
前記色相変更のための入力を、使用者から提供を受ける入力部と、
を含むディスプレイ装置に表示された文字の色相変更装置を提供する。
【０００６】
本発明の一実施形態において、前記ディスプレイ制御部は、前記色相変更のための入力に応じて変更しようとする色相を設定する色相設定部と、前記色相変更のために入力された位置を認識し、色相が変更される色相変更領域を決定する領域判断部と、前記領域判断部で決定された前記色相変更領域に含まれた前記既表示された文字の色相を変更するよう前記ディスプレイ装置を制御する色相変更部と、を含んでいてもよい。
【０００７】
本発明の一実施形態において、前記領域判断部は、前記色相変更のための入力により予め設定された色相変更パターンの提供を受け、前記予め設定された色相変更パターンの位置に応じて前記色相変更領域を決定することができる。
【０００８】
本発明の一実施形態において、記領域判断部は、前記色相変更パターンに隣接した単一文字、単語、文字列、文章または段落を認識し、認識された単一文字、単語、文字列、文章または段落が含まれた領域を、前記色相変更領域として決定することができる。
【０００９】
本発明の一実施形態において、前記領域判断部は、前記色相変更パターンを少なくとも２つ以上提供を受け、前記２つ以上の色相変更パターン間に存在する単一文字、単語、文字列、文章または段落を認識し、認識された単一文字、単語、文字列、文章または段落が含まれた領域を、前記色相変更領域として決定することができる。
【００１０】
本発明の一実施形態において、記領域判断部は、前記色相変更のための入力により色相変更線の提供を受け、前記色相変更線と前記既表示された文字の領域の重畳可否に応じて、前記色相変更領域を設定することができる。
【００１１】
本発明の一実施形態において、前記領域判断部は、前記色相変更線と重畳される少なくとも一部が重畳される領域を有する文字を認識し、前記認識された文字を、前記色相変更領域として設定することができる。
【００１２】
本発明の一実施形態において、前記領域判断部は、前記色相変更線と重畳される領域を有する単一曲線を認識し、前記認識された単一曲線を前記色相変更領域として設定することができる。
【００１３】
前記技術的課題を解決するための手段として、本発明は、
ディスプレイ装置上で変更しようとする文字の色相の入力を受けて設定するステップと、
文字の色相変更のための使用者入力の提供を受けるステップと、
前記色相変更のために入力された位置を認識し、前記色相変更のために入力された位置に応じて、前記ディスプレイ上に既表示された文字の色相を変更する色相変更領域を決定するステップと、
前記色相変更領域内の文字の色相を前記設定するステップで設定された色相に変更するステップと、
を含むディスプレイ装置に表示された文字の色相変更方法を提供する。
【００１４】
本発明の一実施形態において、前記色相変更領域を決定するステップは、前記色相変更のための入力が、予め設定された色相変更パターンまたは色相変更線であるかを判断するステップと、前記色相変更のための入力が、前記予め設定された色相変更パターンのとき、前記予め設定された色相変更パターンの位置に応じて、色相変更領域を決定するステップと、を含んでいてもよい。
【００１５】
本発明の一実施形態において、前記色相変更領域を決定するステップは、前記色相変更パターンに隣接した単一文字、単語、文字列、文章または段落を認識し、認識された単一文字、単語、文字列、文章または段落が含まれた領域を、前記色相変更領域として決定するステップを含んでいてもよい。
【００１６】
本発明の一実施形態において、前記色相変更領域を決定するステップは、前記色相変更パターンを少なくとも２つ以上提供を受け、前記２つ以上の色相変更パターン間に存在する単一文字、単語、文字列、文章または段落を認識し、認識された単一文字、単語、文字列、文章または段落が含まれた領域を、前記色相変更領域として決定するステップを含んでいてもよい。
【００１７】
本発明の一実施形態において、前記色相変更領域を決定するステップは、前記色相変更のための入力が、予め設定された色相変更パターンまたは色相変更線であるかを判断するステップと、前記色相変更のための入力が前記色相変更線のとき、前記色相変更線と前記既表示された文字の領域の重畳可否に応じて、前記色相変更領域を設定するステップと、を含んでいてもよい。
【００１８】
本発明の一実施形態において、前記色相変更領域を設定するステップは、前記色相変更線と重畳される少なくとも一部が重畳される領域を有する文字を認識し、前記認識された文字を前記色相変更領域として設定するステップを含んでいてもよい。
【００１９】
本発明の一実施形態において、前記色相変更領域を設定するステップは、前記色相変更線と重畳される領域を有する単一曲線を認識し、前記認識された単一曲線を前記色相変更領域として設定するステップを含んでいてもよい。
【発明の効果】
【００２０】
本発明によれば、ディスプレイ装置に既に表示されるか、作成された文字または絵の色相を変更しようとするとき、別途の色相に再作成する必要がなく、簡単な使用者の入力を介して既表示されたか、作成された文字を所望の色相に変更することができる。
また、本発明によれば、既にディスプレイ装置に文字や絵が表示された後にも、表示された文字や絵の色相を正確、且つ容易に変更できることによって、講義、広報発表会、展示会などのように、ディスプレイ装置を利用して様々な情報を伝達する業務をさらに便利に処理することができる。
【図面の簡単な説明】
【００２１】
【図１】本発明の一実施形態に係るディスプレイ装置に表示された文字の色相変更装置を示したブロック構成図である。
【図２】本発明の一実施形態に係るディスプレイ装置に表示された文字の色相変更方法を示したフローチャートである。
【図３】図２に示された本発明の一実施形態に係るディスプレイ装置に表示された文字の色相変更方法のうち、色相変更領域結晶ステップをさらに詳細に示したブロック構成図である。
【図４】本発明の一実施形態に係るディスプレイ装置に表示された文字の色相変更装置及び方法により行われた色相変更の例を説明するための図である。
【図５】本発明の一実施形態に係るディスプレイ装置に表示された文字の色相変更装置及び方法により行われた色相変更の例を説明するための図である。
【図６】本発明の一実施形態に係るディスプレイ装置に表示された文字の色相変更装置及び方法により行われた色相変更の例を説明するための図である。
【図７】本発明の一実施形態に係るディスプレイ装置に表示された文字の色相変更装置及び方法により行われた色相変更の例を説明するための図である。
【発明を実施するための最良の形態】
【００２２】
以下、添付図面を参照して、本発明の実施形態を詳細に説明する。しかし、本発明の実施形態は、種々の他の形態に変形することができ、本発明の範囲が以下説明される実施形態に限定されるものではない。本発明の実施形態は、本発明が属する技術分野における通常の知識を有した者に、本発明をより完全に説明するために提供されるものである。また、本発明の説明に際して、定義される用語は、本発明での機能を考慮して定義されたものであり、これは当分野に従事する技術者の意図または慣例などにより変更できるので、本発明の技術的構成要素を限定する意味として理解すべきではない。
【００２３】
特に、本明細書において、ディスプレイ装置上に表示された色相変更対象となる用語‘文字’とは、用語は辞典的意味の文字として解釈されてはいけなく、文字または絵など使用者の入力や作成によりディスプレイ装置に表示された様々な形状を全て含む意味として解析されるべきである。
【００２４】
図１は、本発明の一実施形態に係るディスプレイ装置に表示された文字の色相変更装置を示したブロック構成図である。
【００２５】
図１に示されるように、本発明の一実施形態に係るディスプレイ装置に表示された文字の色相変更装置は、大きく、ディスプレイ装置１０とディスプレイ制御部２０及び入力部３０を含んで構成される。
【００２６】
前記ディスプレイ装置１０は、入力部３０を介して、使用者が入力した内容を表示するための装置であり、使用者が様々な入力手段を介して入力または作成した文字や絵を視覚的に表示する装置である。前記ディスプレイ装置１０は、当技術分野で広く知られた様々な種類のディスプレイ手段により具現され得る。例えば、前記ディスプレイ装置１０は、液晶表示パネル、有機発光ダイオード表示パネル、プラズマディスプレイパネル、またはビームプロジェクターなどであってもよい。
【００２７】
前記ディスプレイ制御部２０は、基本的に入力部３０を介して入力された使用者の入力に対応する内容を表示するようディスプレイ装置１０を制御することができる。本発明の一実施形態において、前記ディスプレイ制御部２０は、ディスプレイ装置２０に既表示された文字または絵の位置を認識し、入力部３０を介して入力された使用者の色相変更のために入力された位置を認識し、既表示された文字または絵の位置と色相変更のために入力された位置関係に応じて、予め設定された色相に既表示された文字または絵の色相を変更するようディスプレイ装置１０を制御することができる。
【００２８】
より詳しくは、前記ディスプレイ制御部２０は、入力部３０を介して入力された使用者の色相変更入力に応じて変更しようとする色相を設定する色相設定部２１と、ディスプレイ装置２０に既表示された文字または絵の位置と入力部３０を介して入力された使用者の色相変更のために入力された位置を認識し、色相が変更される領域を決定する領域判断部２２と、領域判断部２２で決定された色相変更領域に含まれる既表示された文字または絵の色相を変更するようディスプレイ装置１０を制御する色相変更部２３と、を含んでもよい。
【００２９】
前記入力部３０は、使用者がディスプレイ装置１０に表示しようとする文字や絵の入力を受けるか、ディスプレイ装置１０に既表示された文字や絵の色相を変更するための色相変更入力を、使用者から入力受けるための手段である。前記入力部３０は、当技術分野で広く知られた様々な形態の入力装置が採用でき、例えば、マウス、キーボード、またはタッチスクリーンなど様々な種類の入力装置が挙げられる。
【００３０】
本発明は、前述したディスプレイ装置に表示された文字の色相変更装置により具現される色相変更方法も提供する。
【００３１】
図２は、本発明の一実施形態に係るディスプレイ装置に表示された文字の色相変更方法を示したフローチャートである。
【００３２】
図２を参照すれば、本発明の一実施形態に係るディスプレイ装置に表示された文字の色相変更方法は、ディスプレイ装置１０上で変更しようとする文字の色相の入力を受けて設定するステップ（Ｓ１１）と、入力部３０を介して文字の色相変更のための使用者入力の提供を受けるステップ（Ｓ１２）と、ディスプレイ制御部２０により前記色相変更のために入力された位置を認識し、前記色相変更のために入力された位置に応じて、前記ディスプレイ上に既表示された文字の色相を変更する色相変更領域を決定するステップ（Ｓ１３）と、ディスプレイ制御部２０により前記色相変更領域内の文字の色相を前記設定するステップで設定された色相に変更するステップ（Ｓ１４）と、を含んで構成され得る。
【００３３】
図３は、図２に示された本発明の一実施形態に係るディスプレイ装置に表示された文字の色相変更方法のうち、色相変更領域結晶ステップをさらに詳細に示したブロック構成図である。
【００３４】
図３を参照すれば、本発明の一実施形態において、前記色相変更領域を決定するステップ（Ｓ１３）は、ディスプレイ制御部２０の領域判断部２２により前記色相変更のための入力が予め設定された色相変更パターンまたは色相変更線であるかを判断するステップ（Ｓ１３１、Ｓ１３３）と、領域判断部２２により前記色相変更のための入力が前記予め設定された色相変更パターンのとき、前記予め設定された色相変更パターンの位置に応じて、色相変更領域を決定するステップ（Ｓ１３２）と、を含む。
【００３５】
また、本発明の他の実施形態において、前記色相変更領域を決定するステップ（Ｓ１３）は、ディスプレイ制御部２０の領域判断部２２により前記色相変更のための入力が予め設定された色相変更パターンまたは色相変更線であるかを判断するステップ（Ｓ１３１、Ｓ１３３）と、領域判断部２２により前記色相変更のための入力が前記色相変更線のとき、前記色相変更線と前記既表示された文字の領域の重畳可否に応じて、前記色相変更領域を設定するステップＳ１３４を含む。
【００３６】
以下、本発明の一実施形態に係るディスプレイ装置に表示された文字の色相変更装置及び方法の作用及び効果について詳しく説明する。
【００３７】
本発明の一実施形態に係るディスプレイ装置に表示された文字の色相変更装置の動作は、使用者が入力部３０を介してディスプレイ装置１０上で変更しようとする文字の色相を設定するステップ（Ｓ１１）から開始される。ディスプレイ装置１０には、使用者が予め入力した色相変更の対象となる文字または絵が表示されており、使用者は入力部３０を介して既表示された文字または絵の色相を変更しようとする目標色相を入力することができる。入力部３０を介して使用者の色相設定入力の提供を受ければ、ディスプレイ制御部２１は、内部の色相設定部２１で入力された色相を変更する目標色相として設定することができる。
次いで、使用者は、色相変更を実施するための入力を、入力部３０を介してディスプレイ制御部２３に提供することができる。ディスプレイ装置１０には、使用者が予め入力した色相変更の対象となる文字または絵が表示されており、使用者は、入力部３０を操作して、ディスプレイ装置１０に既表示された文字の色相変更のための入力を提供でき、使用者の色相変更入力は、ディスプレイ制御部２０内の領域判断部２２に伝達される。
【００３８】
次いで、領域判断部２２は、ディスプレイ装置１０上に既表示された色相変更対象となる文字または絵の位置と使用者から提供された色相変更のために入力された位置を認識し、それに沿って色相変更領域を設定することができる（Ｓ１３）。
【００３９】
使用者の色相変更のための入力に応じて、色相変更領域を設定する領域判断部２２の動作は、様々な方式で行われてもよい。その好ましい例として、図３に示された方式が適用され得る。
【００４０】
図３には、領域判断部２２が、使用者が入力した特定パターンを認識し、特定パターンの入力位置に応じて、色相変更領域を設定する一例と、使用者が既表示された文字または絵上に引く色相変更線に応じて、色相変更領域を設定する他の例が示される。
【００４１】
領域判断部２２は、色相変更領域を設定するために使用者から提供された色相変更のための入力が、色相変更パターンであるか、または色相変更線であるかを、まず判断する（Ｓ１３１、Ｓ１３３）。図３では、色相変更パターンであるかを、まず判断した後（Ｓ１３１）、色相変更線であるかを判断（S１３３）するものとして示されているが、これは、色相変更領域設定の例を一つの図面で表示できるように便宜を図ったものであり、その順序は当然互いに変更され得る。
【００４２】
領域判断部２２が色相変更のための入力が、色相変更パターンであると判断すれば、領域判断部２２は、色相変更パターンの位置を認識し、この色相変更パターンの位置に応じて、色相変更領域を設定することができる（Ｓ１３２）。
【００４３】
図４は、色相変更パターンが入力された場合、領域判断部によって行われる色相変更領域設定及び既表示された文字の色相変更例を説明するための図面である。
【００４４】
図４の（ａ）に示されるように、領域判断部２２は、既表示された文字中の一部の上部に表示された色相変更パターンＰの位置を認識し、色相変更パターンＰが認識された位置の下部に存在する文字が含まれる領域を色相変更領域として設定することができる。次いで、図４の（ｂ）に示されるように、色相変更領域内の文字は、以後、色相変更部２３の制御を介して色相設定部２１に設定された色相（図４では青色）に変更することができる。
【００４５】
このような、領域判断部２２の色相変更領域設定には、文字認識技術が適用され得る。現在まで知らされた文字認識技術によれば、文字、単語、文字列、文章、段落などを区分して識別することができる。領域判断部２２には、このような文字認識アルゴリズムが適用されてもよい。色相変更パターンＰが入力された場合、色相変更パターンが隣接した（主に色相変更パターンの下部方向に）位置に存在する既表示された単一文字、単語、文字列、文章または段落を、文字認識アルゴリズムを介して認識した後、認識された単一文字、単語、文字列、文章または段落を色相変更領域として決定することができる。
【００４６】
図４では、色相変更パターンＰの一例として、星印（☆）を用いたものを図示しているが、このような色相変更パターンＰは、アスタリスク（＊）、レファレンスマーク（※）等の様々な形態で予め設定され得る。特に、色相変更パターンＰの形状別に当該形状に、予め変更色相を設定しておいてもよい。例えば、色相変更パターンとして星印を用いる場合には、色相変更領域に含まれた文字を青色に変更し、アスタリスクを用いた場合には赤色に変更し、レファレンスマークを用いた場合には黄色に変更するように予め色相設定部２１に設定しておくことができる。このとき、領域判断部２２は、色相変更パターンの形状に関する情報を色相変更部２３に提供し、色相変更部２３は、色相設定部２１から当該色相変更パターンに対応される色相を確認し、ディスプレイ装置１０に既表示された文字の色相を変更することができる。
【００４７】
一方、具体的な例示として図示していないが、色相変更パターンを使用した例で、領域判断部２２は、二つ以上の色相変更パターンを使用者から提供を受け、色相変更領域を設定することができる。この場合、領域判断部２２は、２つ以上の色相変更パターン間に存在する単一文字、単語、文字列、文章または段落を認識し、認識された単一文字、単語、文字列、文章または段落が含まれた領域を前記色相変更領域として決定することができる。
領域判断部２２が、色相変更のための入力が色相変更線であると判断されれば、領域判断部２２は、色相変更線の位置を認識し、この色相変更線と重複する既表示された文字の位置に応じて色相変更領域を設定することができる（Ｓ１３４）。
【００４８】
図５は、色相変更線が入力された場合、領域判断部により行われる色相変更領域の設定及び既表示された文字の色相変更例を説明するための図面である。
【００４９】
図５の（ａ）に示されるように、領域判断部２２は、色相変更線Ｌの位置と既表示された文字の位置を認識し、色相変更線Ｌと前記既表示された文字の領域の重畳可否に応じて、色相変更領域を設定することができる。また、図５の（ａ）のように、色相変更線Ｌと重畳される部分を有する既表示された文字は、以後、色相変更部２３の制御を介して色相設定部２１に設定された色相（図５では赤色）に変更することができる。
【００５０】
図６と図７は、色相変更線Ｌを利用して色相変更領域を設定し、色相を変更する具体的な例を示す図である。
【００５１】
図６は、色相変更線と重畳される領域を有する単一曲線（断絶された部分を有さない連続した曲線）を色相変更領域として設定し、変更する例を図示する。図６の（ａ）に示されるように、
【数１】
2016514274.tif 000003
という文字の
【数２】
2016514274.tif 000004
にのみ色相変更線Ｌが重畳される場合、領域判断部２２は、色相変更線Ｌが重畳された部分を有する単一曲線である
【数３】
2016514274.tif 000005
のみ色相変更領域として設定し、図６の（ｂ）のように、色相変更が行われ得る。
【００５２】
図７は、色相変更線と一部が重畳される文字全体を色相変更領域として設定し、色相を変更する例を図示する。図６の（ａ）と同様に、図７の（ａ）に示されるように、
【数４】
2016514274.tif 000006
という文字の一部分である
【数５】
2016514274.tif 000007
にのみ色相変更線Ｌが重畳される場合、領域判断部２２、はこの
【数６】
2016514274.tif 000008
を含む文字
【数７】
2016514274.tif 000009
を、文字認識アルゴリズムを介して認識し、一つの文字を色相変更領域として設定し、図７の（ｂ）のように色相変更が行われ得る。
【００５３】
このような、色相変更線による色相変更領域設定方式は予め使用者により設定されていてもよい。
【００５４】
前述したような色相変更領域設定動作が行われた後には、ディスプレイ制御部２０内の色相変更部２３により色相変更領域内の文字の色相変更が実際に行われ得る（Ｓ１４）。色相変更部２３は、領域判断部２２から入力される色相変更領域に対する情報と色相設定部２１から入力される変更色相情報の提供を受け、当該色相変更領域内の文字や絵を設定された色相に変更することができる。ディスプレイ装置１０の種類に応じて色相変更部２３の色相変更方式が決定され得る。主に、色相変更領域内の既表示された文字や絵に対応される画素の出力色相を設定された色相に変更されるようディスプレイ装置１０を駆動する方式で動作することができる。
【００５５】
以上で説明したように、本発明の一実施形態は、ディスプレイ装置に既に表示されているか、作成された文字または絵の色相を変更しようとする場合、別途の色相に再作成する必要がなく、簡単な使用者の入力により既表示されているか、作成された文字を所望の色相に変更することができる。即ち、本発明の一実施形態は、既に、ディスプレイ装置に文字や絵が表示された後にも、表示された文字や絵の色相を正確、且つ容易に変更することができることによって、講義、広報発表会、展示会などのようにディスプレイ装置を利用して、様々な情報を伝達する業務をさらに便利に処理することができる。
【００５６】
本発明の詳細な説明では、具体的な実施例に関して説明したが、本発明の範囲から逸脱しない限度内で種々の変形が可能である。したがって、本発明の範囲は説明された実施例に限定されなく、後記する特許請求の範囲及びこの特許請求の範囲と均等なものによって決定されるべきである。
【図１】
2016514274.tif 000010
【図２】
2016514274.tif 000011
【図３】
2016514274.tif 000012
【図４（ａ）】
2016514274.tif 000013
【図４（ｂ）】
2016514274.tif 000014
【図５（ａ）】
2016514274.tif 000015
【図５（ｂ）】
2016514274.tif 000016
【図６（ａ）】
2016514274.tif 000017
【図６（ｂ）】
2016514274.tif 000018
【図７（ａ）】
2016514274.tif 000019
【図７（ｂ）】
2016514274.tif 000020
【国際調査報告】
2016514274.tif 000021
2016514274.tif 000022
2016514274.tif 000023
2016514274.tif 000024